(57)【要約】【課題】ケース１１内に配設した複数のフィン１２，１３を回動して空気吹出口を開放し、当該空気吹出口から吹出する空気流を風向調整して指向方向に吹出させる車室内用空気吹出装置において、第１フィン１２の後端縁とケース１１の内周面との間に形成される隙間Ｂ2からの直進方向の空気流の吹出を規制して、直進する空気流に起因する風向調整された空気流の指向方向の乱れを抑制する。【解決手段】ケース１１に、第１フィン１２の後端部に対向して位置する誘導プレート１８を設けて、誘導プレート１８の誘導プレート部１８ｂを当該隙間Ｂ2に臨ませ、当該隙間Ｂ2から吹出する空気流を、第１フィン１２の表面側に誘導するようにした。【選択図】  図６
2007290431.tif 000002
【特許請求の範囲】
【請求項１】
空気誘導路を形成する円筒状の筒体と、前記筒体の内部にて回動可能に支持されて同筒体の先端側の空気吹出口を開閉する複数枚の風向調整板と、前記各風向調整板を互いに連結して同風向調整板を連動して回動させる連結部材を備え、前記各風向調整板を、前記筒体の軸線に対して互いに略平行となる並列状態と互いに略直交となる直列状態との範囲の間で回動調整することにより、前記筒体の前記空気吹出口を開放して吹出される空気流の吹出し方向を調整する配風機能、および、前記筒体の前記空気吹出口を閉鎖して空気流の吹出しを遮断する風遮断機能を発揮する車室内用空気吹出装置であり、前記筒体は、閉鎖状態にある前記空気吹出口を開放すべく前記各風向調製板を回動する際に後端縁が前記筒体の内周面から漸次離間して形成される隙間に臨む空気流誘導板を備え、前記空気流誘導板は前記空気吹出口を開放した際の前記風向調整板の表面側に空気流を誘導すべく機能することを特徴とする車室内用空気吹出装置。
【請求項２】
請求項１に記載の車室内用空気吹出装置において、前記空気流誘導板は、前記筒体の内周面に沿って湾曲する円弧状を呈していて前記風向調整板の表面側に屈曲して延びていることを特徴とする車室内用空気吹出装置。
【発明の詳細な説明】
【技術分野】
【０００１】
本発明は、センタレジスタ、サイドレジスタ、ロアレジスタ、サイドデフロスタ等、車室内用空気吹出装置に関する。
【背景技術】
【０００２】
車室内用の空気吹出装置の一形式として、空気誘導路を形成する円筒状の筒体と、前記筒体の内部にて回動可能に支持されて同筒体の先端側の空気吹出口を開閉する複数枚の風向調整板と、前記各風向調整板を互いに連結して同風向調整板を連動して回動させる連結部材を備え、前記各風向調整板を、前記筒体の軸線に対して互いに略平行となる並列状態と互いに略直交となる直列状態との範囲の間で回動調整することにより、前記筒体の前記空気吹出口を開放して吹出される空気流の吹出し方向を調整する配風機能、および、前記筒体の前記空気吹出口を閉鎖して空気流の吹出しを遮断する風遮断機能を発揮する形式の車室内用空気吹出装置がある。（特許文献１を参照）。
【０００３】
当該形式の車室内用空気吹出装置においては、各風向調整板は互いに連動して回動動作するもので、筒体の軸線に対して互いに略直交となる直列状態にあっては、筒体の先端側の開口部を閉鎖して風遮断機能を発揮していて、この状態にある各風向調整板の一つを筒体の内側へ押動することにより、風向調整板の全てが連動して回動支点を中心に回動し、最大限、筒体の軸線に対して互いに略平行となる並列状態にまで回動する。従って、当該形式の車室内用空気吹出装置においては、乗員が各風向調整板を連動して回動してその回動量を適宜調整することにより、各風向調整板によって風向き方向を所望の方向に指向させることができる。
【特許文献１】特開２０００−２０３２５４号公報
【発明の開示】
【発明が解決しようとする課題】
【０００４】
このように、当該形式の車室内用空気吹出装置においては、全ての風向調整板の並列状態での回動量を適宜調整すれば、空気吹出口を開放した状態で、空気誘導路の軸線（筒体の軸線と一致する）に対する各風向き調整板の傾斜角度を調整することができて、空気吹出口から吹出される空気流（風）の吹出し方向（風向き）を、各風向調整板によって調整することができるが、この場合、一方側に位置する風向調整板の先端縁と筒体の内周面間、および、他方側に位置する風向調整板の後端縁と筒体の内周面間にはそれぞれ隙間が形成され、これらの隙間からも空気流が吹出することになる。
【０００５】
一方側に位置する風向き調整板の先端縁と筒体の内周面との間に形成される第１の隙間からは、当該風向調整板の表面にて指向される空気流に交差して直進する空気流が吹出して、当該風向調整板による空気流の指向方向を大きく攪乱することになる。また、他方側に位置する風向き調整板の後端縁と筒体の内周面との間に形成される第２の隙間からは、当該風向調整板の傾斜角度に影響されずに直進する空気流が吹出して、当該風向調整板による空気流の指向方向を攪乱することになる。
【０００６】
本発明者等の一者は、上記した第１の隙間から直進方向に吹出する空気流が、各風向調整板により風向きを調整された空気流の指方向を大きく攪乱すことに着目して、かかる問題に対処する手段をすでに提案しているところであるが、本発明者等は、上記した第２の隙間から直進方向に吹出する空気流についても、各風向調整板によって指向される吹出空気流の指向方向に大きく影響を及ぼすことを知得した。従って、本発明の目的は、上記した第２の隙間から吹出する吹出空気流に起因する、風向きの調整された空気流の指向方向に対する影響を極力抑制することにある。
【課題を解決するための手段】
【０００７】
本発明は、車室内用空気吹出装置に関する。本発明が適用する車室内用空気吹出装置は、空気誘導路を形成する円筒状の筒体と、前記筒体の内部にて回動可能に支持されて同筒体の先端側の空気吹出口を開閉する複数枚の風向調整板と、前記各風向調整板を互いに連結して同風向調整板を連動して回動させる連結部材を備え、前記各風向調整板を、前記筒体の軸線に対して互いに略平行となる並列状態と互いに略直交となる直列状態との範囲の間で回動調整することにより、前記筒体の前記空気吹出口を開放して吹出される空気流の吹出し方向を調整する配風機能、および、前記筒体の前記空気吹出口を閉鎖して空気流の吹出しを遮断する風遮断機能を発揮する形式の車室内用空気吹出装置である。
【０００８】
しかして、本発明に係る車室内用空気吹出装置は、上記した形式の車室内用空気吹出装置であって、前記筒体は、閉鎖状態にある前記空気吹出口を開放すべく前記各風向調製板を回動する際に後端縁が前記筒体の内周面から漸次離間して形成される隙間に臨む空気流誘導板を備え、前記空気流誘導板は前記空気吹出口を開放した際の前記風向調整板の表面側に空気流を誘導すべく機能することを特徴とするものである。
【０００９】
本発明に係る車室内用空気吹出装置においては、前記空気流誘導板を、前記筒体の内周面に沿って湾曲する円弧状を呈して、前記風向調整板の表面側に屈曲して延びる構成とすることができる。
【発明の効果】
【００１０】
本発明に係る車室内用空気吹出装置においては、全ての風向調整板の並列状態での回動量を適宜調整すれば、空気吹出口を開放した状態で、空気誘導路の軸線に対する各風向き調整板の傾斜角度を調整することができて、空気吹出口から吹出される空気流の吹出し方向（風向き）を、各風向調整板によって調整することができる。この場合、本発明に係る車室内用空気吹出装置においても、上記したように、この種形式の従来の車室内用空気吹出装置と同様、他方側に位置する風向調整板の後端縁と筒体の内壁面間に隙間が形成されて、当該隙間からも空気流が吹出することになる。
【００１１】
しかしながら、本発明に係る車室内用空気吹出装置においては、空気誘導路を形成する筒体の内周面側に、当該隙間に臨む空気流誘導板を備えている。当該空気流誘導板は、他方側に位置する風向調整板の後端部に対向して位置していて、前記空気吹出口を開放した際に形成される隙間から吹出する空気流を当該風向調整板の表面側に誘導すべく機能する。このため、当該空気流誘導板は、当該隙間を通って吹出す空気流の直進方向への指向を規制して、当該空気流を当該風向調整板の表面側に誘導する。この結果、当該空気流は、当該風向調整板の傾斜角度に沿った方向に指向されて吹出することになる。
【００１２】
換言すれば、本発明に係る車室内用空気吹出装置によれば、当該隙間を通って直進する空気流の形成がなく、空気吹出口の各風向調整板の間から吹出される空気流の全体は、直進する空気流による影響を受けることがなくて、風向調整板によって指向された方向へ略均等に吹出する風となる。本発明に係る車室内用空気吹出装置においては、前記空気流誘導板を、前記筒体の内周面に沿って湾曲する円弧状を呈する形状で、当該風向調整板の表面側に屈曲して延びる構成とすることにより、上記した作用効果を一層顕著に発揮させることができる。
【発明を実施するための最良の形態】
【００１３】
本発明は、車室内のインストルメントパネル等に設置されて、センタレジスタ、サイドレジスタ、ロアレジスタ、サイドデフロスタ等として機能する車室内用空気吹出装置に関する。図１〜図６には、本発明に係る車室内用空気吹出装置の一実施形態であるレジスタを示している。図１は当該レジスタの側面図、図２は当該レジスタの空気吹出口を全閉した状態の正面図、図３は当該レジスタの背面図、図４は当該レジスタの空気吹出口を全閉した状態の縦断端面図、図５は当該レジスタの空気吹出口を半開した状態の正面図、図６は当該レジスタの空気吹出口を半開した状態の縦断端面図である。
【００１４】
当該レジスタ１０は、円筒状の筒体であるケース１１、主たる風向調整板である第１フィン１２および第２フィン１３、これら両フィン１２，１３を互いに連結する連結ロッド１４、および、副たる風向調整板である第３フィン１５を備えるとともに、嵌合されたケース１１を受承する円筒状のリテーナ１６、および、ケース１１の先端部に嵌合する円環状のカバー１７を備えている。
【００１５】
ケース１１は、円筒状の空気誘導路ＡＲを形成するもので、所定長さを有する円筒状のケース本体１１ａを主体とし、その先端側の開口部は空気吹出口を構成し、その後端側の開口部は空気導入口を構成する。ケース本体１１ａの後端側の開口部には、その縁部から延びる円弧状のロッド状の支持アーム１１ｂが形成されていて、支持アーム１１ｂの長さ方向の中央部、換言すれば、ケース本体１１ａの中心軸線上の部位が支持部１１ｃに形成されている。支持部１１ｃは、後方に開口する嵌合孔を備えている。
【００１６】
第１フィン１２は、外周形状が略楕円形状で平板状を呈しているもので、略楕円形状で平板状のフィン本体１２ａと、フィン本体１２ａの背面側の中央部上方に突設されている連結アーム１２ｂと、フィン本体１２ａの外周縁部における長径側の左右の先端部に突設されている左右一対の支持アーム１２ｃを備えている。また。第２フィン１３は、第１フィン１２と同様に、外周形状が略楕円形状で段付きの平板状を呈しているもので、略楕円形状で平板状の段付きのフィン本体１３ａと、フィン本体１３ａの背面側の中央部上方に突設されている連結アーム１３ｂと、フィン本体１３ａの外周縁部における長径側の左右の先端部に突設されている左右一対の支持アーム１３ｃを備えている。第２フィン１３のフィン本体１３ａにおける図示上方側の表面部位は、背面側に窪む凹部１３ａ1に形成されている。当該凹部１３ａ1は、第１フィン１２のフィン本体１２ａにおける図示下方側部位の背面が嵌合して重合する形状に形成されている。
【００１７】
第１フィン１２および第２フィン１３においては、左右の各支持アーム１２ｃ，１３ｃに設けた支持軸をケース１１の内周面に設けた各支持孔に回転可能に嵌合することによって、ケース１１内に回動可能に配置されている。また、第１フィン１２および第２フィン１３は、各連結アーム１２ｂ，１３ｂを連結ロッド１４にて連結することにより、互いに連動して回動するように構成されている。このように支持された第１フィン１２および第２フィン１３は、図４に示すように、それらの図示下方側と上方側にて一部嵌合して重合し得る。
【００１８】
第３フィン１５は、第１フィン１２および第２フィン１３に対する副たる風向調整板であって、これらのフィン１２，１３と同様、外周形状が略楕円形状で平板状を呈するものであり、略楕円形状で平板状のフィン本体１５ａの表面側にはその左右の先端部に、固定用アーム１５ｂ，１５ｃがその表面に対して垂直状に突設されている。各固定用アーム１５ｂ，１５ｃは、その先端部を第２フィン１３における左右の外向フランジ部の内側面に固定することによって、第２フィン１３に固定されている。第３フィン１５は、第２フィン１３に固定された状態で、第２フィン１３と一体にケース１１内に配置されている。第３フィン１５のこの固定状態にあっては、図４および図６に示すように、第２フィン１３の背面とは所定の間隔を保持して平行状態に位置し、第２フィン１３と同一の回動中心Ａ2を中心として、第２フィン１３と一体的に同量だけ回動する。なお、第１フィン１２の回動中心は、回動中心Ａ1である。
【００１９】
しかして、第１フィン１２、第２フィン１３、および第３フィン１５をケース１１内に組付けてなる組立体は、レジスタとして機能する。本実施形態においては、当該組立体をインナレジスタ１０ａと称している。当該インナレジスタ１０ａは、リテーナ１６の円筒状本体１６ａ内に嵌合されてリテーナ１６内に組付けられ受承されており、ケース本体１１ａにおける先端側の開口部の外周縁には、円環状のカバー１７が嵌合されている。カバー１７は、ケース本体１１ａの先端側の開口部を、空気吹出口に形成している。従って、当該レジスタ１０は、インナレジスタ１０ａと、インナレジスタ１０ａを嵌合して受承しているリテーナ１６にて構成されている。リテーナ１６は、インナレジスタ１０ａを構成しているケース１１と一体となって、空気誘導路ＡＲを形成している。
【００２０】
リテーナ１６は、円筒状のリテーナ本体１６ａを主体とするもので、先端側の開口部は全面開口していて、ケース１１が内孔内に嵌合可能になっている。また、リテーナ本体１６ａの後端側の開口部は、ハニカム状の大目の網体１６ｂにて覆蓋されているもので、網体１６ｂの中央部には支持部１６ｃが形成されている。支持部１６ｃは、先端側に突出する突起部を備え、ケース１１がリテーナ本体１６ａに嵌合された際、ケース１１が有する支持部１１ｃの嵌合孔に嵌合して、ケース１１を円周方向に回転可能に支持する。また、リテーナ本体１６ａは、その内孔内の長手方向の中間部に図示しない環状の段部を備えている。当該段部は、前側端面の全周が連続する凹凸形状に形成されている。当該段部の端面は、リテーナ本体１６ａの内孔内にケース１１が嵌合された際、ケース本体１１ａの後端面に組付けた図示しないスプリングの各脚部を弾撥的に受承して支持し、ケース１１の円周方向への間欠的な回転を許容する。換言すれば、インナレジスタ１０ａは、リテーナ１６内を周方向に間欠的に回転する。
【００２１】
当該レジスタ１０を構成するインナレジスタ１０ａにおいては、ケース１１の後端部における第１フィン１２の配設側に、第１フィン１２の後端部の表面側に対向する誘導プレート１８が設けられている。誘導プレート１８は、本発明における空気誘導板に該当するもので、ケース１１と一体に形成されている。誘導プレート１８は、ケース１１の後端から、リテーナ１６のリテーナ本体１６ａの内周面に沿って後方に延びる円弧面状のプレート本体１８ａと、プレート本体１８ａの後端から前方へ屈曲して延びる誘導プレート部１８ｂとからなるもので、誘導プレート部１８ｂは、両フィン１２，１３が空気吹出口を半開状態に回動している場合の、第１フィン１２の傾斜角度と略同一の傾斜角度に形成されている。換言すれば、誘導プレート部１８ｂは、空気誘導路ＡＲを形成するケース１１およびリテーナ１６の内周面側にて第１フィン１２の後端部に対向して位置して、第１フィン１２の後端縁とケース１１および／またはリテーナ１６の内周面との間にて形成される隙間（後述する第２の隙間Ｂ2）内に臨んでいる。
【００２２】
当該レジスタ１０においては、各フィン１２，１３の回動量を調整することにより、従来のこの種形式のレジスタと同様に、ケース１１のケース本体１１ａにおける先端側の空気吹出口を遮蔽して、空気吹出口からの空気流の吹出しを遮断する遮断機能（図２および図４を参照）、および、空気吹出口を開放して空気吹出口からの空気流の吹出し方向を所望の方向に指向させる配風機能（図５および図６を参照）を発揮させることができる。
【００２３】
当該レジスタ１０においては、空気吹出口は、図２および図４に示すように、各フィン１２，１３にて遮蔽されるとともに、図５および図６に示すように、各フィン１２，１３が連動して回動することによって開放される。同図は、空気吹出口が略半開きの状態を示すもので、各フィン１２，１３のフィン本体１２ａ，１３ａの傾斜は、空気誘導路ＡＲの長手方向の軸線Ｌに対して略４５度の傾斜角度で傾斜している。当該レジスタ１０の空気吹出口がこのような状態に開放されている場合には、各フィン１２，１３のフィン本体１２ａ，１３ａの傾斜に沿って空気流が吹出して、当該空気流は所望の傾斜方向の風向きとなる。当該レジスタ１０においては、各フィン１２，１３のフィン本体１２ａ，１３ａは最大限、軸線Ｌに対して平行となる角度まで回動させることができ、この状態では、空気吹出口は全開状態を呈する。当該レジスタ１０の空気吹出口がこのような全開状態に開放されている場合には、各フィン１２，１３のフィン本体１２ａ，１３ａに沿って空気流が吹出して、当該空気流は略直進する所望の風向きとなる。
【００２４】
なお、当該レジスタ１０においては、インナレジスタ１０ａをリテーナ１６の内孔内に嵌合して組付けて、当該インナレジスタ１０ａをリテーナ１６に嵌合された状態においては、当該インナレジスタ１０ａが周方向に間欠的に回転可能に受承される構成としている。このため、当該インナレジスタ１０ａをリテーナ１６内にて周方向へ適宜間欠的に回転して位置調整することにより、当該インナレジスタ１０ａの空気吹出口から吹出される空気流の風向きを上方向、下方向、右方向および左方向等、四方八方に選択的に調整することができる。
【００２５】
ところで、当該レジスタ１０においては、各フィン１２，１３が回動動作して空気吹出口を開放した状態では、図６に示すように、第２フィン１３のフィン本体１３ａの先端縁とケース１１の内周面との間に第１の隙間Ｂ1が形成され、また、第１フィン１２のフィン本体１２ａの後端縁とケース１１の内周面との間に第２の隙間Ｂ2が形成される。このため、空気吹出口が開放されると、これらの隙間Ｂ1，Ｂ2からも空気流が吹出するが、これらの隙間Ｂ1，Ｂ2から吹出する空気流には、各フィン１２，１３の風向調整機能が及ばない。当該形式の従来のレジスタにおいては、これらの隙間Ｂ1，Ｂ2から吹出する空気流は、空気誘導路ＡＲの長手方向の軸線Ｌと平行な直線的な流れとなる。このため、第１の隙間Ｂ1から直進状態で吹出する空気流は、第２フィン１３にて風向きを調整された空気流と交差して、当該空気流の指向方向を乱すことになり、また、第２の隙間Ｂbから直進状態で吹出する空気流は、第１フィン１２にて風向きを調整されて空気流の一側を流れて、当該空気流の指向方向を乱すことになる。
【００２６】
従って、当該形式の従来のレジスタにおいては、これらの各隙間Ｂ1，Ｂ2から直進して吹出する空気流の吹出を規制することが要請される。当該レジスタ１０においては、第１の隙間Ｂ1から直進して吹出される空気流の吹出を規制する手段については、第３フィン１５を配設する手段を採り、かつ、第２の隙間Ｂ2から直進して吹出される空気流の吹出を規制する手段については、誘導プレート１８を配設する手段と採っている。このため、以下では、先ず第３フィン１５の機能について説明し、次いで誘導プレート１８の機能について説明する。なお、第３フィン１５を配設する手段は、本発明者等の一者がすでに提案しているところであり、誘導プレート１８を配設する手段は、当該レジスタ１０の最大の特徴とするところである。
【００２７】
当該レジスタ１０においては、空気吹出口を開放すべく第１フィン１２および第２フィン１３を回動させると、図６に示すように、第１フィン１２は回動支点Ａ1を中心に回動し、かつ、第２フィン１３はこれに連動して回動支点Ａ2を中心に回動する。この場合、第２フィン１３が回動すると、第２フィン１３のフィン本体１３ａの先端縁はその回動量に応じて、ケース１１のケース本体１１ａの内周面から漸次離間して、その先端縁とケース本体１１ａの内周面間に隙間（第１の隙間Ｂ1）を形成する。当該隙間Ｂ1は空気流を吹出するが、当該空気流は第２フィン１３の背面側の風向調整機能を受けることなく、空気誘導路ＡＲの軸線Ｌに沿って直進する空気流となり、各フィン１２．１３によって指向された空気流と交差して、指向された空気流の同方向への流れを大きく妨げ、調整された風向きを大幅に変更させるという問題を引き起こすことになる。第３フィン１５は、当該隙間Ｂ1を極力閉鎖して、当該隙間Ｂ1から直進して吹出する空気流の発生を極力抑制する。
【００２８】
第３フィン１５は、第１フィン１２および第２フィン１３がケース本体１１ａの軸線Ｌに対して略直交する直列状態にあって、当該レジスタ１０の空気吹出口を閉鎖している場合には、固定されている第２フィン１３の背面側にて、これとは所定間隔を保持した平行状態に位置している。このため、第３フィン１５は、第１フィン１２および第２フィン１３の回動時には、第２フィン１３と一体に、第２フィン１３の回動中心Ａ2を中心に同フィン１３とは平行状態を保持して回動する。この結果、第３フィン１５は、第２フィン１３のフィン本体１３ａの先端縁が形成する当該隙間Ｂ1を大きく遮蔽するように動作し、第２フィン１３のさらなる回動によって当該隙間Ｂ1の遮蔽状態を漸次解き、第２フィン１３が軸線Ｌに対して平行状態になった状態では当該隙間Ｂ1の遮蔽状態を完全に解く。第３フィン１３は、かかる回動動作によって、当該隙間Ｂ1からの直進する空気流の吹出を大きく抑制する。
【００２９】
一方、当該レジスタ１０においては、空気吹出口を開放すべく第１フィン１２および第２フィン１３を回動させると、図６に示すように、第１フィン１２のフィン本体１２ａの後端縁はその回動量に応じて、ケース１１のケース本体１１ａの内周面から漸次離間して、その後端縁とケース本体１１ａの内周面間に隙間Ｂ2（第２の隙間Ｂ2）を形成する。当該隙間Ｂ2は空気流を吹出するが、当該空気流は第１フィン１２の表面側の風向調整機能を受けることなく、空気誘導路ＡＲの軸線Ｌに沿って直進する空気流となり、各フィン１２．１３によって指向された空気流の指向方向を大きく乱し、調整された風向きを大幅に変更させるという問題を引き起こすことになる。誘導プレート１８は、当該隙間Ｂ2に臨んでいて、当該隙間Ｂ2から吹出する空気流を、第１フィン１２のフィン本体１２ａにおける表面側に極力誘導する。誘導プレート１８においては、その誘導プレート部１８ｂが所定の傾斜角度を保持して当該隙間Ｂ2に臨み、第１フィン１２におけるフィン本体の後端部の表面側に対向している。このため、誘導プレート部１８ｂは、当該隙間Ｂ2から吹出する空気流を第１フィン１２におけるフィン本体１２ａの表面側に極力指向させ、当該隙間Ｂ2からの直進する空気流の吹出を大幅に抑制する。
【図面の簡単な説明】
【００３０】
【図１】本発明に係る車室内用空気吹出装置の一実施形態であるレジスタの側面図である。
【図２】当該レジスタの空気吹出口を閉鎖した状態の正面図である。
【図３】当該レジスタの背面図である。
【図４】当該レジスタの空気吹出口を閉鎖した状態の縦断端面図である。
【図５】当該レジスタの空気吹出口を半開にした状態の正面図である。
【図６】当該レジスタの空気吹出口を半開にした状態の縦断端面図である。
【符号の説明】
【００３１】
１０…レジスタ、１０ａ…インナレジスタ、１１…ケース、１１ａ…ケース本体、１１ｂ…支持アーム、１１ｃ…支持部、１２…第１フィン、１２ａ…フィン本体、１２ｂ…連結アーム、１２ｃ…支持アーム、１３…第２フィン、１３ａ…フィン本体、１３ａ1…凹部、１３ｂ…連結アーム、１３ｃ…支持アーム、１４…連結ロッド、１５…第３フィン、１５ａ…フィン本体、１５ｂ，１５ｃ…固定用アーム、１６…リテーナ、１６ａ…リテーナ本体、１６ｂ…網体、１６ｃ…支持部、１７…カバー、１８…誘導プレート、１８ａ…プレート本体、１８ｂ…誘導プレート部、ＡＲ…空気誘導路、Ａ1…第１フィンの回動支点、Ａ2…第２フィンの回動支点、Ｂ1…第１の隙間、Ｂ2…第２の隙間、Ｌ…筒体の軸線（空気誘導路の軸線）。
【図１】
2007290431.tif 000003
【図２】
2007290431.tif 000004
【図３】
2007290431.tif 000005
【図４】
2007290431.tif 000006
【図５】
2007290431.tif 000007
【図６】
2007290431.tif 000008